(57)【要約】      （修正有）【課題】２０１９新型コロナウイルスなどのウイルスも不活化させる効果もあり、殺菌装置内に対象物を入れる必要がない、深紫外線ＬＥＤ滅菌ウイルス不活化棒を提供する。【解決手段】本体部１２と、本体部に設けられ、深紫外線を照射する複数のＬＥＤが互い違いとなるように少なくとも２列設けられてなるＬＥＤ照射部１６と、を有し、ＬＥＤ照射部側が表側１８、ＬＥＤ照射部と反対側が裏側とされてなり、表側を上方に向けて置くと、深紫外線ＬＥＤ滅菌ウイルス不活化棒１０が反転して裏側が上方を向くように本体部の重心が偏心せしめられてなり、ＬＥＤ照射部が所定の方向に向かって１５°以上傾くと、ＬＥＤの電源が切れるように構成されている。【選択図】図１
0003228623.tif 000002
【実用新案登録請求の範囲】
【請求項１】
滅菌又はウイルス不活化する対象物の表面から０〜１ｃｍの距離を保って深紫外線を照射することで滅菌を行う深紫外線ＬＥＤ滅菌ウイルス不活化棒であり、
本体部と、
前記本体部に設けられ、深紫外線を照射する複数のＬＥＤが互い違いとなるように少なくとも２列設けられてなるＬＥＤ照射部と、
を有し、
前記ＬＥＤ照射部側が表側、前記ＬＥＤ照射部と反対側が裏側とされてなり、
前記表側を上方に向けて置くと、前記深紫外線ＬＥＤ滅菌ウイルス不活化棒が反転して前記裏側が上方を向くように前記本体部の重心が偏心せしめられてなり、
前記ＬＥＤ照射部が所定の方向に向かって１５°以上傾くと、前記ＬＥＤの電源が切れるように構成されてなる、深紫外線ＬＥＤ滅菌ウイルス不活化棒。
【請求項２】
前記ＬＥＤの最大放射照度が３５００μＷ／ｃｍ２である、請求項１記載の深紫外線ＬＥＤ滅菌ウイルス不活化棒。
【請求項３】
前記ＬＥＤの照射角度が４５°である、請求項１又は２記載の深紫外線ＬＥＤ滅菌ウイルス不活化棒。
【請求項４】
前記深紫外線ＬＥＤ滅菌ウイルス不活化棒に対して５分間動作が無いと、自動的に前記ＬＥＤの電源が切れるように構成されてなる、請求項１〜３いずれか１項記載の深紫外線ＬＥＤ滅菌ウイルス不活化棒。
【考案の詳細な説明】
【技術分野】
【０００１】
本考案は、深紫外線ＬＥＤによって深紫外線を照射することで、対象物の表面の滅菌及びウイルス不活化を可能とした棒状の装置に関する。
【背景技術】
【０００２】
従来、紫外（Ultraviolet: UV）光よりも、さらに短い波長（200〜300 nm）である深紫外（Deep Ultraviolet: DUV）光は、殺菌効果があることが知られている。深紫外線発光ダイオードを用いた殺菌装置としては、特許文献１のものなどがある。
【０００３】
しかしながら、特許文献１の装置では、装置内に入れて殺菌するので、装置に入る大きさのものしか殺菌できないという不都合がある。
【０００４】
また、最近では、２０１９新型コロナウイルス（2019-nCoV）による新型コロナウイルス感染症（COVID-19）が世界的流行を見せており、かかる２０１９新型コロナウイルスの不活性化ができるような技術が望まれていた。
【０００５】
一方、非特許文献１に示されるように、深紫外線ＬＥＤの照射で２０１９新型コロナウイルスが感染力を失うという実験結果が発表されている。
【先行技術文献】
【特許文献】
【０００６】
【特許文献１】特開２０１７−１１３６４８
【非特許文献】
【０００７】
【非特許文献１】“コロナ対策に「深紫外線ＬＥＤの照射」  実験結果を公表”、[online]、朝日新聞DIGITAL、[令和２年６月１９日検索]、インターネット<URL: https://www.asahi.com/articles/ASN5X725QN5WTNAB006.html>
【考案の概要】
【考案が解決しようとする課題】
【０００８】
本考案は、上記した従来技術の問題点に鑑みなされたもので、殺菌効果も２０１９新型コロナウイルスなどのウイルスも不活化させる効果もあり、殺菌装置内に対象物を入れる必要がない、深紫外線ＬＥＤ滅菌ウイルス不活化棒を提供することを目的とする。
【課題を解決するための手段】
【０００９】
上記課題を解決するために、本考案に係る深紫外線ＬＥＤ滅菌ウイルス不活化棒は、滅菌又はウイルス不活化する対象物の表面から０〜１ｃｍの距離を保って深紫外線を照射することで滅菌を行う深紫外線ＬＥＤ滅菌ウイルス不活化棒であり、本体部と、前記本体部に設けられ、深紫外線を照射する複数のＬＥＤが互い違いとなるように少なくとも２列設けられてなるＬＥＤ照射部と、を有し、前記ＬＥＤ照射部側が表側、前記ＬＥＤ照射部と反対側が裏側とされてなり、前記表側を上方に向けて置くと、前記深紫外線ＬＥＤ滅菌ウイルス不活化棒が反転して前記裏側が上方を向くように前記本体部の重心が偏心せしめられてなり、前記ＬＥＤ照射部が所定の方向に向かって１５°以上傾くと、前記ＬＥＤの電源が切れるように構成されてなる、深紫外線ＬＥＤ滅菌ウイルス不活化棒である。
【００１０】
前記ＬＥＤの最大放射照度が３５００μＷ／ｃｍ２であるのが好適である。
【００１１】
前記ＬＥＤの照射角度が４５°であるのが好適である。
【００１２】
前記深紫外線ＬＥＤ滅菌ウイルス不活化棒に対して５分間動作が無いと、自動的に前記ＬＥＤの電源が切れるように構成されてなるのが好適である。
【考案の効果】
【００１３】
本考案によれば、殺菌効果も２０１９新型コロナウイルスなどのウイルスも不活化させる効果もあり、殺菌装置内に対象物を入れる必要がない、深紫外線ＬＥＤ滅菌ウイルス不活化棒を提供することができるという著大な効果を有する。
【００１４】
また、深紫外線を照射することにより、におい分子が分解されるので、深紫外線ＬＥＤ滅菌ウイルス不活化棒１０を使用することで、対象物Ｐの消臭をすることができるという効果もある。
【図面の簡単な説明】
【００１５】
【図１】本考案に係る深紫外線ＬＥＤ滅菌ウイルス不活化棒の一つの実施の形態を示す正面図である。
【図２】図１に示した深紫外線ＬＥＤ滅菌ウイルス不活化棒の背面図である。
【図３】図１に示した深紫外線ＬＥＤ滅菌ウイルス不活化棒の底面図である。
【図４】図１に示した深紫外線ＬＥＤ滅菌ウイルス不活化棒を右側からみた模式的説明図である。
【図５】図２に示した深紫外線ＬＥＤ滅菌ウイルス不活化棒の模式説明図である。
【図６】図３に示した深紫外線ＬＥＤ滅菌ウイルス不活化棒の模式説明図である。
【図７】図１に示した深紫外線ＬＥＤ滅菌ウイルス不活化棒の深紫外線の照射範囲を示す模式図である。
【図８】深紫外線を照射する複数のＬＥＤが、互い違いではない場合の深紫外線の照射範囲を示す模式図である。
【考案を実施するための形態】
【００１６】
以下に本考案の一つの実施の形態を実施例に基づき添付図面を参照して説明する。本考案の技術思想から逸脱しない限りこれらの実施の形態について種々の変更又は変形が可能なことは言うまでもない。なお、同一部材は同一符号で示される。
【００１７】
図において、符号１０は本考案の深紫外線ＬＥＤ滅菌ウイルス不活化棒の一つの実施の形態を示す。
【００１８】
図１〜図３によく示される如く、深紫外線ＬＥＤ滅菌ウイルス不活化棒１０は、本体部１２と、前記本体部１２に設けられ、深紫外線を照射する複数のＬＥＤ１４が互い違いとなるように少なくとも２列設けられてなるＬＥＤ照射部１６と、を有している。
【００１９】
前記ＬＥＤ照射部１６の側が表側１８、前記ＬＥＤ照射部１６と反対側が裏側２０とされており、前記表側１８を上方に向けて床などに置くと、前記深紫外線ＬＥＤ滅菌ウイルス不活化棒１０が反転して、図３に示すように前記裏側２０が上方を向くように前記本体部１２の重心が偏心せしめられている。
【００２０】
図２に示すように、深紫外線ＬＥＤ滅菌ウイルス不活化棒１０には、電源をＯＮ／ＯＦＦするための電源スイッチ２２が設けられており、異なる色で点灯することでＯＮ／ＯＦＦの状態を示すインジケーター表示部２４も設けられている。
【００２１】
また、図３に示すように、誤って電源スイッチ２２がＯＮとなって深紫外線が照射されないように、安全機構２６が設けられており、安全機構２６をスライドさせることで、電源スイッチ２２にロックがかかるように構成されている。また、充電用のコネクタ２８を有しており、充電可能とされている。
【００２２】
そして、重心センサーが内蔵されているので、前記ＬＥＤ照射部１６が所定の方向に向かって１５°以上傾くと、前記ＬＥＤの電源が自動的に切れるように構成されている。
【００２３】
図４に、図１に示した深紫外線ＬＥＤ滅菌ウイルス不活化棒１０を右側からみた模式的説明図を示す。図４の状態では、深紫外線ＬＥＤ滅菌ウイルス不活化棒１０は地面に垂直となっている。
【００２４】
そして、この状態から深紫外線ＬＥＤ滅菌ウイルス不活化棒１０の前記ＬＥＤ照射部１６が後ろに１５°以上倒れると、即ち、前記ＬＥＤ照射部１６が前記裏側２０に向かって１５°以上傾くと、前記ＬＥＤ１４の電源が切れる構成とされている。
【００２５】
図５に、図２に示した深紫外線ＬＥＤ滅菌ウイルス不活化棒１０の模式的説明を示す。図５の状態では、深紫外線ＬＥＤ滅菌ウイルス不活化棒１０は地面に垂直となっている。
【００２６】
そして、この状態から左右方向に水平（地球の重力の方向と直角に交わる方向）を超えて１５°までは、深紫外線ＬＥＤ滅菌ウイルス不活化棒１０の照射範囲である。つまり、左右に１０５°までは深紫外線ＬＥＤ滅菌ウイルス不活化棒１０の照射範囲である。そして、深紫外線ＬＥＤ滅菌ウイルス不活化棒１０が水平の状態から、前記ＬＥＤ照射部１６が左右に１５°以上傾くと、前記ＬＥＤ１４の電源が切れる構成とされている。
【００２７】
図６に、図３に示した深紫外線ＬＥＤ滅菌ウイルス不活化棒１０の模式的説明を示す。図６の状態では、深紫外線ＬＥＤ滅菌ウイルス不活化棒１０の前記ＬＥＤ照射部１６は地面を向いている。
【００２８】
そして、この状態から深紫外線ＬＥＤ滅菌ウイルス不活化棒１０の前記ＬＥＤ照射部１６が上方に１５°以上傾くと、即ち、前記ＬＥＤ照射部１６が前記裏側２０に向かって１５°以上傾くと、前記ＬＥＤ１４の電源が切れる構成とされている。
【００２９】
このように、深紫外線ＬＥＤ滅菌ウイルス不活化棒１０は、誤って深紫外線が人体などに照射されることがないように、種々の安全対策が施されている。
【００３０】
さらに、深紫外線ＬＥＤ滅菌ウイルス不活化棒１０は、時間センサーを内蔵しており、５分間以上動作がない場合、自動で電源がＯＦＦとなる構成とされている。これも、誤って深紫外線が人体などに照射されることがないようにするための安全対策である。
【００３１】
また、深紫外線ＬＥＤ滅菌ウイルス不活化棒１０は、図７に示すように、滅菌又はウイルス不活化する対象物Ｐの表面から０〜１ｃｍの距離Ｄ１を保って深紫外線を照射することで滅菌を行う深紫外線ＬＥＤ滅菌ウイルス不活化棒である。
【００３２】
深紫外線ＬＥＤ滅菌ウイルス不活化棒１０のＬＥＤ１４の放射照度は３５００〜１３００μＷ／ｃｍ２とされている。深紫外線ＬＥＤ滅菌ウイルス不活化棒１０のＬＥＤ１４の最大放射照度は３５００μＷ／ｃｍ２とされているので、例えば、最大放射照度が２５００μＷ／ｃｍ２の滅菌装置よりも、より早く滅菌又はウイルス不活化の効果を発揮する。
【００３３】
図７に示すように、前記ＬＥＤ１４の個々の照射範囲３０の照射角度は４５°とされている。そして、複数のＬＥＤ１４が互い違いとなるように２列設けられているので、図７に示すように、前記ＬＥＤ１４の個々の照射範囲３０が横から見たときに照射範囲３０が重ならないので、漏れなくより広い範囲で深紫外線を照射することができる。
【００３４】
一方、深紫外線ＬＥＤ滅菌ウイルス不活化棒１００のＬＥＤ１０４が互い違いではなく、等間隔で２列に並んでいるとすると、図８に示すように、前記ＬＥＤ１０４の個々の照射範囲１０２が横から見たときに重なってしまうこととなり、照射範囲に漏れが出てきてしまう。
【００３５】
このため、深紫外線ＬＥＤ滅菌ウイルス不活化棒１０では、前記ＬＥＤ照射部１６が、複数のＬＥＤ１４が互い違いとなるように少なくとも２列設けられて構成されているのである。
【００３６】
深紫外線ＬＥＤ滅菌ウイルス不活化棒１０は上記のように構成されているので、殺菌装置内に対象物を入れる必要がなく、対象物Ｐが例えば、部屋、車のシート、飲食店のテーブルや椅子、鉄道車両や航空機であっても、表面を殺菌したりできるし、２０１９新型コロナウイルスなどのウイルスも不活化させることができる。
【００３７】
本考案の深紫外線ＬＥＤ滅菌ウイルス不活化棒によれば、２０１９新型コロナウイルスを含む様々なウイルスを不活化させる効果以外にも、種々の菌を滅菌する効果がある。
【００３８】
製品化した本考案の深紫外線ＬＥＤ滅菌ウイルス不活化棒（ＬＥＤ電球数：８個のＬＥＤが互い違いになるように２列、ＬＥＤ波長：２６０−２８０ｎｍ、放射照度：３５００〜１３００μＷ／ｃｍ２、電圧・消費電力：５Ｖ・５Ｗ、照射時における対象物表面との距離０〜１ｃｍ）の大腸菌及びブドウ球菌に対する滅菌効果について、ＳＧＳ検査の報告書によれば、滅菌効果が９９．９％であった。また、非特許文献１からもわかるように、本考案の深紫外線ＬＥＤ滅菌ウイルス不活化棒は２０１９新型コロナウイルスについても不活性化する効果がある。
【符号の説明】
【００３９】
１０：本考案の深紫外線ＬＥＤ滅菌ウイルス不活化棒、１２：本体部、１４，１０４：ＬＥＤ、１６：ＬＥＤ照射部、１８：表側、２０：裏側、２２：電源スイッチ、２４：インジケーター表示部、２６：安全機構、２８：充電用コネクタ、３０，１０２：ＬＥＤの個々の照射範囲、１００：深紫外線ＬＥＤ滅菌ウイルス不活化棒、Ｐ：対象物。
【図１】
0003228623.tif 000003
【図２】
0003228623.tif 000004
【図３】
0003228623.tif 000005
【図４】
0003228623.tif 000006
【図５】
0003228623.tif 000007
【図６】
0003228623.tif 000008
【図７】
0003228623.tif 000009
【図８】
0003228623.tif 000010
【手続補正書】
【提出日】令和2年7月30日(2020.7.30)
【手続補正１】
【補正対象書類名】実用新案登録請求の範囲
【補正対象項目名】全文
【補正方法】変更
【補正の内容】
【実用新案登録請求の範囲】
【請求項１】
滅菌又はウイルス不活化する対象物の表面から０〜１ｃｍの距離を保って深紫外線を照射することで滅菌を行う深紫外線ＬＥＤ滅菌ウイルス不活化棒であり、
本体部と、
前記本体部に設けられ、深紫外線を照射する複数のＬＥＤが互い違いとなるように少なくとも２列設けられてなるＬＥＤ照射部と、
前記ＬＥＤ照射部が所定の方向に向かって１５°以上傾くと、前記ＬＥＤの電源を切る重心センサーと、
を有し、
前記ＬＥＤ照射部側が表側、前記ＬＥＤ照射部と反対側が裏側とされてなり、
前記表側を上方に向けて置くと、前記深紫外線ＬＥＤ滅菌ウイルス不活化棒が反転して前記裏側が上方を向くように前記本体部の重心が偏心せしめられてなる、深紫外線ＬＥＤ滅菌ウイルス不活化棒。
【請求項２】
前記ＬＥＤの最大放射照度が３５００μＷ／ｃｍ２である、請求項１記載の深紫外線ＬＥＤ滅菌ウイルス不活化棒。
【請求項３】
前記ＬＥＤの照射角度が４５°である、請求項１又は２記載の深紫外線ＬＥＤ滅菌ウイルス不活化棒。
【請求項４】
前記深紫外線ＬＥＤ滅菌ウイルス不活化棒に対して５分間動作が無いと、前記ＬＥＤの電源を切る時間センサーを有する、請求項１〜３いずれか１項記載の深紫外線ＬＥＤ滅菌ウイルス不活化棒。